(57)【特許請求の範囲】
【請求項１】
分析手段で得られた分析データを特定の分析データリーダにより外部出力手段にグラフ表示させ、かつ該分析データリーダにより分析データの本質は変えずに特定のグラフ表示が変更可能な分析データファイルを作成する分析データライタであって、
前記分析データファイルが作成された出所を示す出所情報を記憶する出所情報記憶手段と、
前記分析手段で得られた分析データを記憶するデータ記憶手段と、
前記分析手段で得られた分析データを特定の分析データリーダにより外部出力手段にグラフ表示させ、かつ該分析データリーダにより分析データの本質は変えずに特定のグラフ表示が変更可能となるように、前記データ記憶手段の分析データをグラフ表示させるための表示定義情報を記憶する表示定義情報記憶手段と、
前記分析データを得た時の前記分析手段の装置構成及び測定条件を含むデータ付随情報を記憶するデータ付随情報記憶手段と、
前記分析データファイルの作成の指示が与えられると、前記出所情報記憶手段の出所情報、前記データ記憶手段の分析データ、前記表示定義情報記憶手段の表示定義情報及び前記データ付随情報記憶手段のデータ付随情報を、それぞれ該分析データファイルの所定位置に、特定の分析データリーダで読込み可能で及び書換え不可となるようアクセス制限し、かつ該分析データファイルのアクセス制限のある情報を強制的に書き換えた場合にフラグを自動的に付加するように書込み、該分析データファイルを作成するファイル作成手段と、
を備えたことを特徴とする分析データライタ。
【請求項２】
特定の分析データライタで作成され、かつ特定の分析データリーダで読込める分析データファイルであって、
前記分析データファイルが作成された出所を示す出所情報が、前記分析データリーダで読込み可能で及び書換え不可となるようアクセス制限して記憶された出所情報部と、
分析手段で得られた分析データが、前記分析データリーダで読込み可能で及び書換え不可となるようアクセス制限して記憶されたデータ定義部と、
前記データ定義部の分析データを前記分析データリーダにより外部出力手段にグラフ表示させ、かつ該分析データリーダにより分析データの本質は変えずに特定のグラフ表示が変更可能となるように、前記データ定義部の分析データをグラフ表示させるための表示定義情報が、該分析データリーダで読込み可能で及び書換え不可となるようアクセス制限して記憶された表示定義部と、
前記分析データを得た時の前記分析手段の装置構成及び測定条件を含むデータ付随情報が、前記分析データリーダで読込み可能で及び書換え不可となるようアクセス制限して記憶されたデータ付随情報部と、
前記分析データファイルのアクセス制限のある情報を強制的に書き換えた場合にフラグを自動的に付加するフラグ付加部と、
を備えたことを特徴とする分析データファイル。
【請求項３】
請求項２に記載の分析データファイルにおいて、
前記データ付随情報部が、測定者及び測定者の所属情報を含むことを特徴とする分析データファイル。
【発明の詳細な説明】
【０００１】
【発明の属する技術分野】
本発明は分析データライタ、分析データファイル、分析データリーダ、及び分析データファイル頒布方法、特に分析手段で得られた分析データファイルの頒布、頒布された分析データファイルの使い勝手の向上に関する。
【０００２】
【従来の技術】
例えば、分析機器の分野では、ユーザは分析機器で測定したスペクトル等の分析データを、分析機器メーカ等が提供している標準スペクトル等の標準分析データと比較することが多い。また、例えば学会発表等のためユーザ同士で分析データのやりとりを行うことが多い。このように分析機器の分野では、例えば分析機器メーカ等とユーザや、ユーザ同士では、スペクトル等の分析データのやりとりを日常茶飯事に行っている。
【０００３】
従来、分析機器で得られた分析データの頒布方法としては、送る側は、スペクトル等の分析データを紙に印刷し、これをＦＡＸや郵送等でユーザに提供していた。
そして、受けた側は、そのスペクトル等のグラフの紙を、所望の大きさに拡大或いは縮小コピーし、これを文献等に貼付けたり、その他の分析データと共に貼付け等を行う。従来はこのようにして分析機器で得られたスペクトル等の分析データのやりとりを行っていた。
【０００４】
【発明が解決しようとする課題】
しかしながら、分析機器で得られた分析データを、従来のように紙に印刷してＦＡＸや郵送等で提供する等の、紙でのやりとりでは、時間がかかり、面倒であった。
また送る側が提供するスペクトル等のグラフは、一般に受け側毎、使用目的毎等に所望のグラフ表示、例えば大きさが異なる。このため、受け側は、入手したスペクトル等のグラフをそのまま用いることは困難であり、その使い勝手は改善の余地が残されていた。特に分析機器の分野では、分析データの数も多いため、この問題はより深刻であった。
【０００５】
本発明は前記従来技術の課題に鑑みなされたものであり、その目的は分析機器で得た分析データの頒布を容易にすると共に、頒布された分析データの分析機器の分野での使い勝手を向上することのできる、分析データライタ、分析データファイル、分析データリーダ、及び分析データファイル頒布方法を提供することにある。
【０００６】
【課題を解決するための手段】
前記目的を達成するために本発明にかかる分析データライタは、分析手段で得られた分析データを特定の分析データリーダにより外部出力手段にグラフ表示させ、かつ該分析データリーダにより分析データの本質は変えずに特定のグラフ表示が変更可能な分析データファイルを作成する分析データライタであって、出所情報記憶手段と、データ記憶手段と、表示定義情報記憶手段と、データ付随情報記憶手段と、ファイル作成手段と、を備えることを特徴とする。
【０００７】
ここで、前記出所情報記憶手段は、前記分析データファイルが作成された出所を示す出所情報を記憶する。
また前記データ記憶手段は、前記分析手段で得られた分析データを記憶する。
前記表示定義情報記憶手段は、前記分析手段で得られた分析データを特定の分析データリーダにより外部出力手段にグラフ表示させ、かつ該分析データリーダにより分析データの本質は変えずに特定のグラフ表示が変更可能となるように、前記データ記憶手段の分析データをグラフ表示させるための表示定義情報を記憶する。
前記データ付随情報記憶手段は、前記分析データを得た時の前記分析手段の装置構成及び測定条件を含むデータ付随情報を記憶する。
前記ファイル作成手段は、前記分析データファイルの作成の指示が与えられると、前記出所情報記憶手段の出所情報、前記データ記憶手段の分析データ、前記表示定義情報記憶手段の表示定義情報及び前記データ付随情報記憶手段のデータ付随情報を、それぞれ該分析データファイルの所定位置に、特定の分析データリーダで読込み可能で及び書換え不可となるようアクセス制限し、かつ該分析データファイルのアクセス制限のある情報を強制的に書き換えた場合にフラグを自動的に付加するように書込み、該分析データファイルを作成する。
【０００８】
また前記目的を達成するために本発明にかかる分析データファイルは、特定の分析データライタで作成され、かつ特定の分析データリーダで読込める分析データファイルであって、出所情報部と、データ定義部と、表示定義部と、データ付随情報部と、を備えることを特徴とする。
【０００９】
ここで、前記出所情報部は、前記分析データファイルが作成された出所を示す出所情報が、前記分析データリーダで読込み可能で及び書換え不可となるようアクセス制限して記憶される。
また前記データ定義部は、前記分析手段で得られた分析データが、前記分析データリーダで読込み可能で及び書換え不可となるようアクセス制限して記憶される。
前記表示定義部は、前記データ定義部の分析データを特定の分析データリーダにより外部出力手段にグラフ表示させ、かつ該分析データリーダにより分析データの本質は変えずに特定のグラフ表示が変更可能となるように、前記データ定義部の分析データをグラフ表示させるための表示定義情報が、前記分析データリーダで読込み可能で及び書換え不可となるようアクセス制限して記憶される。
前記データ付随情報部は、前記分析データを得た時の前記分析手段の装置構成及び測定条件を含むデータ付随情報が、前記分析データリーダで読込み可能で及び書換え不可となるようアクセス制限して記憶される。
【００１０】
また前記目的を達成するために本発明にかかる分析データリーダは、特定の分析データライタで作成された分析データファイルを読込み、外部出力手段に該分析データファイルの分析データをグラフ表示させ、かつ該グラフ表示を該分析データの本質は変えずに変更可能な分析データリーダであって、読込手段と、グラフ表示指定手段と、グラフ表示変更手段と、を備えることを特徴とする。
【００１１】
ここで、前記読込手段は、前記分析データファイルを読込み、外部出力手段に分析データをグラフ表示させる。
また前記表示指定手段は、前記外部出力手段に表示されたグラフ表示に対し所望のグラフ表示を指定する。
前記表示変更手段は、前記外部出力手段でのグラフ表示を、前記分析データの本質は変えずに前記表示指定手段により指定されたグラフ表示に変更する。
【００１２】
また前記目的を達成するために本発明にかかる分析データファイル頒布方法は、分析データファイル作成工程と、分析データファイル頒布工程と、分析データファイル読込工程と、を備え、また前記分析データファイル読込工程で得たグラフ表示が所望のグラフ表示でないと、グラフ表示指定工程と、グラフ表示変更工程と、を備えることを特徴とする。
【００１３】
ここで、前記分析データファイル作成工程は、前記分析データライタにより前記分析データファイルを作成する。
また前記分析データファイル頒布工程は、前記分析データファイル作成工程で作成された分析データファイルを頒布する。
前記分析データファイル読込工程は、前記分析データファイル頒布工程で頒布された分析データファイルを、前記分析データリーダにより読込み、外部出力手段にグラフ表示させる。
前記グラフ表示指定工程は、前記外部出力手段に表示させたグラフ表示に対し、所望のグラフ表示を指定する。
前記グラフ表示変更工程は、前記外部出力手段でのグラフ表示を、前記分析データの本質は変えずに表示指定工程で指定されたグラフ表示に変更する。
【００１４】
ここにいう分析手段とは、例えば分光光度計、クロマトグラフ等の分析データをグラフ表示できる任意のものをいう。
またここにいう分析データとは、例えば等間隔或いは不等間隔の各データの数値データ群等をいう。
ここにいうデータ付随情報に含まれる分析手段の装置構成とは、例えば装置名等をいい、装置名によりその構成を特定できるものをいう。
ここにいう測定条件とは、例えば分析モード、分析方法、試料情報等をいう。
この分析モードとは、例えば分析データ採取時の装置の設定状態等をいう。この分析方法とは、例えば透過、反射等をいい、この試料情報とは、例えば試料名、試料量等をいう。
【００１５】
ここにいう分析データの本質は変えずに特定のグラフ表示が変更可能とは、軸の倍率、該軸の始点と終点等の変更等のグラフ表示の変更により、該軸の倍率、該軸の始点と終点等の変更に合わせて、各データ点の表示位置も変え各軸方向の位置関係を一定に保つことをいう。
【００１６】
【発明の実施の形態】
以下、図面に基づき本発明の好適な一実施形態について説明する。
分析データファイルの頒布方法
図１には本実施形態にかかる分析データファイル頒布方法を行うためのハードウェア要素の概略構成が示されている。
同図に示すハードウェア要素は、分析手段１０と、分析データライタ１２と、分析データリーダ１４を備える。
【００１７】
そして、分析データライタ１２は、入出力インターフェース１６が設けられ、各分析データリーダ１４は、それぞれ入出力インターフェース１８ａ，１８ｂが設けられる。各インターフェース１６，１８間は、例えば電話回線、ＬＡＮ等の信号線２０で接続されており、分析データライタ１２と分析データリーダ１４間を接続している。
【００１８】
前記分析データライタ１２は、例えばコンピュータ等よりなり、例えば分光光度計、クロマトグラフ等の分析データをグラフ表示することのできる分析手段と接続されている。
この分析データライタ１２は、分析手段１０で得られた分析データを特定の分析データリーダ１４によりディスプレイ（外部出力手段）２２にグラフ表示させ、かつ該分析データリーダ１４により分析データの本質は変えずに特定のグラフ表示が変更可能な分析データファイル２４を作成する。
【００１９】
またこの分析データライタ１２は、分析データファイル２４の作成機能に加えて、サーバ機能を持つ。このため、分析データライタ１２により作成された分析データファイル２４は、分析データライタ１２により、各インターフェース１６，１８、信号線２０等を介して、例えばインターネット上の分析データリーダ１４に送信が行える。
前記分析データファイル２４は、前記分析データライタ１２で作成され、かつ前記分析データリーダ１４で読込める。
【００２０】
前記分析データリーダ１４ａ，１４ｂは、例えばコンピュータ等よりなり、前記分析データライタ１２で作成された分析データファイル２４を読込み、ディスプレイ２２ａ，２２ｂに該分析データファイル２４の内容、少なくとも分析データをグラフ表示させ、かつ該グラフ表示を該分析データの本質は変えずに変更することができる。
【００２１】
本実施形態にかかる分析データファイルの頒布方法を行うためのハードウェア要素は概略以上のように構成され、以下にその作用について説明する。
まず従来、分析データの頒布方法は、スペクトル等のグラフを紙に印刷したものをＦＡＸや郵送等でやりとりする方法が一般的であったが、時間がかかり、面倒であった。
【００２２】
そこで、本実施形態は、前記分析データの頒布を容易にするため、分析データライタ１２により、分析手段１０で得られた分析データを電子化している。
これにより、本実施形態では、分析データを紙に印刷する必要がなく、例えば電子化された分析データファイル２４をそのままインターネットやメール等で容易に頒布することができる。
【００２３】
ここで、分析機器の分野では、前述のようにして頒布されたものを入手すると、ディスプレイ上でグラフの大きさを調整する必要があるが、単なるグラフ全体の倍率変更であれば比較的簡単であるが、例えば横軸だけ、縦軸だけ等の各軸単位での倍率変更を行うと、グラフの各軸方向での位置関係がわからなくなり、その正確な位置関係が保たれない場合がある。これは一般的なグラフィックスでは問題のないことであっても、グラフの各軸方向での位置関係が非常に重要な意味を持つスペクトル等のグラフを扱う分析機器の分野では、分析データそのものの本質を変えてしまうため、その使い勝手は改善の余地が残されていた。
【００２４】
そこで、本実施形態においては、さらに分析機器の分野での分析ファイルデータの使い勝手を向上させるため、分析データライタによりデータファイルを作成する際、分析データリーダにより分析手段で得られた分析データの本質は変えずに、該グラフ表示の変更が行えるようにデータファイルを作成している。
このために本実施形態にかかる分析データファイルの頒布方法は、図２に示すように分析データファイル作成工程（Ｓ１０）を備える。
【００２５】
前記分析データファイル作成工程（Ｓ１０）は、前記分析データライタ１２により前記分析データファイル２４を作成する。
また本実施形態にかかる分析データファイルの頒布方法は、分析データファイル頒布工程（Ｓ１２）と、分析データファイル読込工程（Ｓ１４）を備える。
前記分析データファイル頒布工程（Ｓ１２）は、前記分析データファイル作成工程（Ｓ１０）で作成された分析データファイル２４を頒布する。
【００２６】
前記分析データファイル読込工程（Ｓ１４）は、前記分析データファイル頒布工程（Ｓ１２）で頒布された分析データファイル２４を、前記分析データリーダ１４により読込み、ディスプレイ２２にグラフ表示させる。
このグラフ表示が所望のグラフ表示か否かを判断する（Ｓ１６）。
グラフ表示が所望のグラフ表示であると判断されると、後段の必要な作業を進める。一方、グラフ表示が所望のグラフ表示でないと判断されると、必要に応じてグラフ表示指定工程（Ｓ１８）と、グラフ表示変更工程（Ｓ２０）に進む。
【００２７】
前記グラフ表示指定工程（Ｓ１８）は、前記分析データファイル読込工程（Ｓ１４）でディスプレイ２２に表示させたグラフ表示に対し、所望のグラフ表示を指定する。
前記グラフ表示変更工程（Ｓ２０）は、ディスプレイ２２でのグラフ表示を前記分析データの本質は変えずにグラフ表示指定工程（Ｓ１８）で指定されたグラフ表示に変更する。
【００２８】
このグラフ表示が所望のグラフ表示か否かを判断する（Ｓ２２）。グラフ表示が所望のグラフ表示であると判断されると、後段の必要な作業を進める。一方、グラフ表示が所望のグラフ表示でないと判断されると、所望のグラフ表示が得られるまで、前記グラフ表示指定工程（Ｓ１８）と、前記グラフ表示変更工程（Ｓ２０）を繰返す。
【００２９】
以上のように本実施形態にかかる分析データファイル頒布方法によれば、分析データライタ１２により分析データを電子化し分析データファイル２４を作成し、例えばインターネット上で頒布することとした。この結果、分析データファイル２４を容易に頒布することができる。
【００３０】
しかも、本実施形態では、分析データファイル２４を作成する際、分析データリーダ１４により分析手段１０で得られた分析データの本質は変えずに該グラフ表示の変更が行えるように、分析データライタ１２によりデータファイル２４を作成している。このようにして作成された分析データファイル２４を分析データリーダ１４により読込み、分析手段１０で得られた分析データの本質は変えずに、該グラフ表示の変更が行えることとした。
【００３１】
この結果、本実施形態では、分析データリーダ１４により分析データファイル２４の分析データの本質を変えずに、グラフ表示を所望の大きさ等の体裁を容易に整えることができるので、頒布された分析データファイル２４の分析機器の分野での使い勝手を向上させることができる。
【００３２】
なお、前記構成では、分析データライタ１２にサーバの機能を持たせた例について説明したが、サーバ機能を分離し他のコンピュータ等に設けてもよい。
また、前記構成では、信号線２０を介して分析データファイルを頒布した例について説明したが、その頒布から入手までの時間の短縮化等の点で、信号線２０を用いることが好ましいが、分析データライタ１２で作成した分析データファイル２４をフロッピーディスク等の任意の記録メディアに落として頒布する方法等もある。
【００３３】
分析データライタ
図３には本実施形態にかかる分析データライタ１２の概略構成が示されている。
同図に示す分析データライタ１２は、例えばコンピュータ本体３０と、外部出力手段（ディスプレイ）３２と、キーボード、マウス等の入力デバイス３４を備える。
コンピュータ本体３０は、ＣＰＵ３６と、ＨＤＤ３８を備える。このコンピュータ本体３０のＣＰＵ３６は、分析手段１０と接続されている。
【００３４】
そして、分析手段１０からの分析データ、データ付随情報等の分析データファイル作成に必要な情報がコンピュータ本体３０のＣＰＵ３６に入力され、これをＣＰＵ３６はＨＤＤ３８の所定位置に記憶する。
ＨＤＤ３８は、出所情報記憶手段４０と、データ記憶手段４２と、表示定義情報記憶手段４４と、データ付随情報記憶手段４６と、データ処理履歴記憶手段４８と、データ処理結果記憶手段５０と、分析データファイル記憶手段５２を備える。
【００３５】
ここで、前記出所情報記憶手段４０は、分析データファイル２４の出所、例えばＪａｓｃｏ等の識別情報を記憶する。そのほか、例えばファイルサイズ、漢字コード、マーカー、データ測定を行った機種名、ファイル形式のバージョン等も定義することができる。
また前記データ記憶手段４２は、前記分析手段１０で得られた分析データを記憶する。例えば分析データを、例えば等間隔、或いは不等間隔の点の数値データ等で定義することができる。
【００３６】
前記表示定義情報記憶手段４４は、分析手段１０で得られたデータ点の数値データを基に、特定の分析データリーダ１４によりディスプレイ２２にスペクトル等をグラフ表示させ、かつ該スペクトル表示を、該分析データの本質は変えずに軸の倍率の変更等の、所望のグラフ表示が変更可能となるように、前記データ記憶手段４２の各点の数値データに軸情報等を関連付けて、グラフ表示させるための表示定義情報を記憶する。この表示定義情報としては、例えば前述のような横軸の単位（例えば波数ｃｍ−１）、縦軸の単位（例えば透過率％Ｔ）のほか、横軸の範囲（例えば４０００−４００）、縦軸の範囲（例えば０−７０）等も定義することができる。
【００３７】
前記データ付随情報記憶手段４６は、前記数値データを得た時の分析手段１０の装置構成、及び測定条件を含むデータ付随情報を記憶する。例えばＦＴＩＲ等の装置名等により分析手段１０の装置構成を定義することができる。また分析手段１０の測定モード、測定方法、サンプル名、サンプル量等により測定条件が定義される。そのほか、装置シリアル番号、測定者、測定者の所属、測定日時、最終演算日時等も定義することができる。
【００３８】
前記データ処理履歴記憶手段４８は、例えばデータ処理日時、データ処理内容等を定義する。
前記データ処理結果記憶手段５０は、例えばピーク位置、高さ、高さ比、面積、面積比、半値幅、カーブフィッティング（ピーク位置、高さ、半値幅、フィッティング曲線等）、膜厚計算、色彩計算、多成分分析（排ガス分析等も含む）、メルティング、カイネティクス、日射透過率、スペクトル検索（リンクするファイルパス）、高次構造解析、スムージング等の処理結果を定義する。例えばピーク検出では、結果の数、実際のピーク数、ノイズレベル等を定義する。
【００３９】
ＣＰＵ３６は、ファイル作成手段５４を備える。
このファイル作成手段５４は、前記入力デバイス３４より、分析データファイルの作成の指示が与えられると、ＨＤＤ３８の必要な情報を読出し、各情報を該分析データファイル２４の所定位置に、特定の分析データリーダで読込み可能で及び書換え不可となるように書込み、該分析データファイル２４を作成する。
【００４０】
例えば、本実施形態では、前記出所情報記憶手段４０の出所情報、前記データ記憶手段４２の分析データ、前記表示定義情報記憶手段４４の表示定義情報及び前記データ付随情報記憶手段４６のデータ付随情報を、それぞれ該分析データファイルの所定位置に、特定の分析データリーダで読込み可能で及び書換え不可となるように書込み、該分析データファイル２４を作成し、分析データファイル記憶部５２に記憶する。
【００４１】
このようにして作成され、分析データファイル記憶部５２に記憶されている分析データファイル２４は、例えば、ほかのコンピュータからのダウンロードを要求する信号により、入出力インタフェース１６を介して例えばインターネット上に出力され、そのコンピュータに送られる。
【００４２】
なお、本実施形態にかかる分析データファイルライタ１２は、ＨＤＤ３８にコメント記憶手段５６を備える。分析データファイルライタ１２は、分析データファイル２４の作成時に、分析データファイル２４の所定位置にコメント部を作成し、コメント部にコメント記憶手段５６のコメントを特定の分析データリーダで書込み及び書換え可能としている。
【００４３】
本実施形態にかかる分析データライタ１２は概略以上のように構成され、以下にその作用について説明する。
まず従来、スペクトル等を紙に印刷したものをＦＡＸや郵送等でやりとりする方法が一般的であったが、時間がかかり、面倒であった。
【００４４】
そこで、本実施形態は、分析データの頒布を容易にするため、分析データライタ１２により、分析手段で得られた分析データを電子化している。
まず分析手段１０からの分析データ、データ付随情報等の分析データファイル作成に必要な情報は、コンピュータ本体３０のＨＤＤ３８の所定位置に記憶されている。
そして、前記入力デバイス３４より、分析データファイル２４の作成の指示が与えられると、ファイル作成手段５４は、ＨＤＤ３８の必要な情報を読出し、各情報を該分析データファイル２４の所定の位置に、特定の分析データリーダで読込み可能で及び書換え不可となるように書込み、該分析データファイル２４を作成する。
【００４５】
本実施形態では、例えば前記出所情報記憶手段４０の出所情報、前記データ記憶手段４２の分析データ、前記表示定義情報記憶手段４４の表示定義情報及び前記データ付随情報記憶手段４６のデータ付随情報等を、それぞれ該分析データファイル２４の所定位置に、特定の分析データリーダで読込み可能で及び書換え不可となるように書込み、該分析データファイル２４を作成している。
これにより、本実施形態では、送る側は分析データを紙に印刷する必要がなく、例えば電子化された分析データファイル２４をそのままインターネットやメール等で容易に頒布することができる。
【００４６】
ここで、分析機器の分野では、前述のようにして頒布されたものを入手すると、ディスプレイ上でグラフの大きさを調整する必要があるが、単なるグラフ全体の倍率変更であれば比較的簡単であるが、例えば横軸だけ、縦軸だけ等の各軸単位での倍率変更を行うと、グラフの各軸方向での位置関係がわからなくなり、正確に保たれない場合がある。これは一般的なグラフィックスでは問題のないことであっても、グラフの各軸方向での位置関係が非常に重要な意味を持つスペクトル等のグラフを扱う分析機器の分野では、分析データそのものの本質を変えてしまうため、その使い勝手は改善の余地が残されていた。
【００４７】
そこで、本実施形態においては、さらに分析機器の分野での分析ファイルデータの使い勝手を向上させるため、分析データライタ１２により分析データファイル２４を作成する際、分析データリーダにより分析手段で得られた分析データの本質は変えずに、スペクトル等の軸の倍率の変更等の所望のグラフ表示の変更が行えるように分析データファイル２４を作成している。
このために本実施形態において、前記表示定義情報記憶手段４４が、分析手段１０で得られた分析データを特定の分析データリーダ１４によりディスプレイ２２にグラフ表示させ、かつ該分析データの本質は変えずに特定のグラフ表示が変更可能となるように、つまりグラフを構成する前記データ記憶手段４２の各点の数値データに軸情報等を関連付けて、グラフ表示させるための表示定義情報を記憶する。
【００４８】
そして、前記入力デバイス３４より、分析データファイルの作成の指示が与えられると、ファイル作成手段５４によりファイルを作成する際は、前記表示定義情報記憶手段４４の表示定義情報を該分析データファイルの所定位置に書込み、分析データファイルを特定の分析データリーダで読込むと、各点の数値データに対し軸情報を関連付けてスペクトル等のグラフ表示ができるようにしている。しかも、グラフ上の各点は各軸方向での位置情報を持つので、該分析データの本質は変えずに特定のグラフ表示が変更できる分析データファイルを作成することができる。
【００４９】
ここで、作成した分析データファイルの、分析データの本質にかかわる数値データ、表示定義情報の内容は勿論、出所情報、データ付随情報等は誤って上書き等の変更をしてしまうと、元の情報との区別が付かないので、分析機器の分野では、その誤操作対策が必要である。
そこで、本実施形態では、分析データファイルのコメントは本実施形態にかかる分析データライタ及びリーダにより書換え可能にしているが、ファイル作成手段により出所情報、分析データ、表示定義情報、データ付随情報をファイルに書込む際、例えばＩＤ等によるアクセス制限を設けており、基本的には、特定の分析データリーダで読込み可能で及び書換え不可となるように、ファイルを作成している。
【００５０】
また、本実施形態では、作成した分析データファイルの、アクセス制限のある情報を強制的に書き換えた際は、その情報のある位置にフラグ等が自動的に付加され、変更があったことを知らせるようにファイルを作成している。
このため、本実施形態では、ファイルの、分析データの本質にかかわる数値データ、表示定義情報の内容は勿論、出所情報、データ付随情報等の内容が誤って上書き等の変更をしてしまうのを防ぐと共に、万が一、変更してしまっても、フラグ等の何等かの痕跡が残るようにファイルを作成しているので、ファイルの内容が所望の元のものかどうかを容易に判断することができる。
【００５１】
このようにして作成され、分析データファイル記憶部５２に記憶されている分析データファイル２４は、例えば、ほかのコンピュータからの要求を指示する信号により、入出力インタフェース１６を介して例えばインターネット上の他のコンピュータに送られる。
以上のように本実施形態にかかる分析データライタ１２によれば、入力デバイス３４より、分析データファイル２４の作成の指示が与えられると、例えば出所情報記憶手段４０の出所情報、データ記憶手段４２の分析手段で得られた分析データ、表示定義情報記憶手段４４の表示定義情報、及びデータ付随情報記憶手段４６のデータ付随情報等を、それぞれ該分析データファイルの所定位置に、特定の分析データリーダで読込み可能で及び書換え不可となるように書込み、該分析データファイルを作成するファイル作成手段５４を備えることとした。
【００５２】
この結果、本実施形態にかかる分析データライタ１２によれば、分析手段１０で得られた分析データを特定の分析データリーダによりグラフ表示させ、かつ該分析データの本質は変えずに特定のグラフ表示が変更可能な分析データファイル２４を作成することができるので、それを例えばインターネット上等で容易に頒布することができる。
【００５３】
分析データファイル
図４には本実施形態にかかる分析ファイルデータ２４のファイル構造が示されている。
同図に示す分析データファイル２４は、出所情報部６０と、データ定義部６２と、表示定義部６４と、データ付随情報部６６と、データ処理履歴部６８と、データ処理結果部７０と、コメント部７２を備える。
ここで、前記出所情報部６０は、分析データファイル２４が作成された出所を示す識別情報が、本実施形態にかかる分析データライタにより記載されている。その内容は、特定の分析データリーダで読込み可能で及び書換え不可である。この出所情報としては、例えばＪａｓｃｏ等の識別情報を用いることができる。そのほか、例えばファイルサイズ、漢字コード、マーカー、データ測定を行った機種名、ファイル形式のバージョン等も加えて記載することができる。
【００５４】
また前記データ定義部６２は、分析手段で得られた分析データが本実施形態にかかる分析データライタにより記載されている。その内容は、特定の分析データリーダで読込み可能で及び書換え不可である。このデータとしては、例えば等間隔、或いは不等間隔のデータ点の数値データ等で記載することができる。
【００５５】
具体的には、例えばＸ軸データ列のタイプ、つまりデータ点が等間隔か不等間隔かが記載されている。
例えば等間隔データでは、横軸のデータスタート値、データエンド値、データピッチ等が定義されており、これにより横軸の各データ数値を定義することができるので、縦軸の数値データのみが並べられている。
一方、不等間隔データでは、例えば（４０００,６０），（３９９９,６１）…（４００，５０）というように、つまり（横軸の数値データ，縦軸の数値データ）がペアで各データ点について並べられている。
そのほか、縦軸の検出チャンネル数（例えば同じ横軸に対し、強度、検出器の電圧等の数）、データ数、データの精度、Ｘ軸データのバイト数、Ｙ軸データのバイト数、データ処理履歴のバイト数、データ処理結果のバイト数等も加えて記載することができる。
【００５６】
前記表示定義部６４は、特定の分析データリーダにより読込まれた時、該分析データリーダの読込手段により前記データ定義部６２の各データ点の数値データに軸情報を関連付けるための各軸の単位が定義されている。
例えば、前記データ定義部６２の各データ点が、等間隔であっても、不等間隔であっても、その内容は（横軸の数値データ，縦軸の数値データ）の配列で表せる。前記表示定義部６４では、表示定義情報として、前記データ定義部６２の数値データの横軸の単位が例えば波数であり、前記データ定義部６２の数値データの縦軸の単位が、例えば透過率等であるとの文法情報が定義されている。
【００５７】
このため、分析データファイル２４が、特定の分析データリーダにより読込まれた時、該分析データリーダの読込手段により前記データ定義部６２の各データ点の数値データに軸情報を関連付けることができるので、ディスプレイにスペクトル等のグラフを表示させることができる。
しかも、前述のようにして前記データ定義部６２の各データ点の数値データに軸情報を関連付けているので、つまりグラフを各データ点で構成し、その各データ点は各軸上での数値データで定義されているので、ある一の軸の倍率のみを変えても、またグラフ表示の次元を変えても、その再表示の際、分析データリーダの読取手段は、分析データファイル２４のデータ定義部６２の各データ点の各軸上での数値データと、表示定義部６４の軸情報にアクセスすることにより、変更後の各軸上での各データ点の位置関係を得、軸の変更後のスペクトルを正確にかつ迅速に再表示することができる。
【００５８】
このようにスペクトル等のグラフ表示を、分析データの本質は変えずに軸の倍率の変更等の、所望のグラフ表示が変更可能となるように、前記データ定義部６２の数値データをスペクトル等のグラフ表示させるための表示定義情報が、本実施形態にかかる分析データライタにより記載されている。その内容は特定の分析データリーダで読込み可能で及び書換え不可である。この表示定義情報としては、例えば前述のような横軸の単位（例えば波数ｃｍ−１）、縦軸の単位（例えば透過率％Ｔ）の他、横軸の範囲（例えば４０００−４００）、縦軸の範囲（例えば０−７０）等も定義することができる。
【００５９】
前記データ付随情報部６６は、データ定義部の数値データを得た時の分析手段の装置構成、及び測定条件を含むデータ付随情報が、本実施形態にかかる分析データライタにより記載されている。その内容は、特定の分析データリーダで読込み可能で及び書換え不可である。このデータ付随情報としては、例えば装置名等により分析手段１０の装置構成を特定する。また測定条件として、数値データを得た時の分析手段１０の設定等の測定モード、透過、反射等の測定方法、サンプル名、サンプル量等を用いることができる、そのほか、データ付随情報としては、装置シリアル番号、測定者、測定者の所属、測定日時、最終演算日時等も記載することができる。
【００６０】
前記データ処理履歴部６８は、データ処理履歴情報として、データ処理の日時、その処理内容等が、本実施形態にかかる分析データライタにより記載されている。その内容は、特定の分析データリーダで読込み可能で及び書換え不可である。
前記データ処理結果部７０は、データ処理結果として、例えばピーク位置、高さ、高さ比、面積、面積比、半値幅、カーブフィッティング（ピーク位置、高さ、半値幅、フィッティング曲線等）、膜厚計算、色彩計算、多成分分析（排ガス分析も含む）、メルティング、カイネティクス、日射透過率、スペクトル検索（リンクするファイルパス）、高次構造解析、スムージング等の処理結果が、本実施形態にかかる分析データライタにより記載されている。その内容は、特定の分析データリーダで読込み可能で及び書換え不可である。例えばピーク検出の処理を行ったとき、結果の数、実際のピーク数、ノイズレベル等の情報を記載することができる。
【００６１】
前記コメント部７２は、本実施形態にかかる分析データライタでのファイル作成者、分析データリーダの使用者等によるコメントが記載される。このコメント部７２の内容は、変更しても分析データの本質を変えてしまうものではないので、分析データライタ及び分析データリーダで書込み、書換えが行えるように構成されている。
【００６２】
なお、本実施形態にかかる分析データファイル２４は、データ情報部の位置、データ処理履歴の位置、データ処理結果の位置、オプション情報の位置、他のアプリケーションからの使用を許可するかどうかのフラグ、内部メモリ名（ファイルから読み込んだ場合にはフルパス名）等が記載されることも可能である。
【００６３】
本実施形態にかかる分析データファイル２４は、概略以上のように構成され、以下にその作用について説明する。
まず従来、スペクトル等のグラフを紙に印刷したものをＦＡＸや郵送等でやりとりする方法が一般的であったが、時間がかかり、面倒であった。
そこで、本実施形態は、分析データの頒布を容易にするため、本実施形態にあかかる分析データライタにより、分析手段で得られた分析データを電子化しており、分析データファイル２４を用いている。
【００６４】
これにより、本実施形態にかかる分析データファイル２４の内容は、送る側は分析データを紙に印刷する必要がなく、そのままインターネットやメール等で容易に頒布することができる。
ここで、分析機器の分野では、前述のようにして頒布されたものを入手すると、ディスプレイ上でグラフの大きさを調整する必要があるが、単なるグラフ全体の倍率変更であれば比較的簡単であるが、例えば横軸だけ、縦軸だけ等のある特定の軸単位での倍率変更、次元の変更等を行うと、グラフの各軸上での位置関係がわからなくなり、その正確な位置関係が保たれない場合がある。これは一般的なグラフィックスでは問題のないことであっても、グラフの各軸上での位置関係が非常に重要な意味を持つスペクトル等のグラフを扱う分析機器の分野では、分析データそのものの本質を変えてしまうため、その使い勝手は改善の余地が残されていた。
【００６５】
そこで、本実施形態にかかる分析データファイル２４は、さらに分析機器の分野での使い勝手を向上させるため、分析データライタにより作成される際、分析データリーダにより分析手段で得られた分析データの本質は変えずに、該グラフ表示の変更が行えるように、データファイルが作成されている。
このために本実施形態にかかる分析データファイル２４が、特定の分析データリーダで読込まれると、データ定義部６２の各データ点の数値データと前記表示定義部６４の表示定義情報を関連付けて、ディスプレイ２２にスペクトル等をグラフ表示させるようにしている。しかも、このようなデータ定義部６２の各データ点の数値データと前記表示定義部６４の表示定義情報との関連付けによりグラフを表示するので、該分析データの本質は変えずにスペクトルの軸の倍率の変更等の、所望のグラフ表示が変更可能となるようにしている。
【００６６】
この結果、本実施形態にかかる分析データファイル２４は、特定の分析データリーダで読込まれると、該分析データの本質は変えずに特定のグラフ表示が変更できる。
ここで、前記分析データの本質にかかわるデータ定義部６２、表示定義部６４の内容は勿論、出所情報部６０、データ付随情報部６６等の内容は誤って上書き等の変更をされてしまうと、元の情報との区別が付かないので、分析機器の分野では、その誤操作対策が必要である。
【００６７】
そこで、本実施形態にかかる分析データファイル２４では、コメント部７２の内容は特定の分析データライタ及びリーダにより書込み、書換え可能にしているが、ファイル作成手段により分析データファイルが作成される際、出所情報部６０、データ定義部６２、表示定義部６４、データ付随情報部６６の内容には、例えばＩＤ等によるアクセス制限を設けており、基本的には、特定の分析データリーダで読込み可能で及び書換え不可となるようにしている。
【００６８】
また本実施形態にかかる分析データファイル２４の、アクセス制限のある情報を強制的に書き換えた際は、その情報のある位置にフラグ等が自動的に付加され、変更があったことを知らせる。
このため、本実施形態にかかる分析データファイル２４では、前記分析データの本質にかかわるデータ定義部６２、表示定義部６４の内容は勿論、出所情報部６０、データ付随情報部６６等の内容が誤って上書き等の変更をされてしまうのを防ぐと共に、万が一、変更されてしまっても、フラグ等の何等かの痕跡が残るので、ファイル２４の内容が元のものかどうかを容易に判断することができる。
【００６９】
以上のように本実施形態にかかる分析データファイル２４によれば、例えばその出所を示す出所情報が、特定の分析データリーダで読込み可能で及び書換え不可で記憶された出所情報部６０と、分析手段１０で得られた分析データが、該分析データリーダで読込み可能で及び書換え不可で記憶されたデータ定義部６２と、分析データをグラフ表示しかつ該グラフ表示をデータの本質は変えずに変更可能な表示定義情報が、該分析データリーダで読込み可能で及び書換え不可で記憶された表示定義部６４と、該分析データを得た時の分析手段の装置構成及び測定条件を含むデータ付随情報が、該分析データリーダで読込み可能で及び書換え不可で記憶されたデータ付随情報部６６を備えることとした。
【００７０】
この結果、本発明にかかる分析データファイル２４によれば、特定の分析データリーダで読込まれることにより、分析手段で得られた分析データをグラフ表示させ、かつ該分析データの本質は変えずにグラフ表示を所望のグラフ表示に変更することができる。
【００７１】
分析データリーダ
図５には本実施形態にかかる分析データリーダ１４の概略構成が示されている。
同図に示す分析データリーダ１４は、入出力インタフェース１８を備えており、例えば電話回線、ＬＡＮ等の信号線２０で接続されたインターネット上のコンピュータと接続されている。このため、分析データリーダ１４は、インターフェース１８を介して本実施形態にかかる分析データライタで作成された分析データファイル２４を読込む。そして、分析データリーダ１４は、ディスプレイ２２に該分析データファイル２４の内容、少なくともスペクトル等の分析データをグラフ表示させ、かつ該グラフ表示を該分析データの本質は変えずに変更可能とする。
【００７２】
このために本実施形態にかかる分析データリーダ１４は、例えばコンピュータ本体８０と、ディスプレイ（外部出力手段）２２と、キーボード、マウス等の入力デバイス８２を備える。
前記コンピュータ本体８０は、ＣＰＵ８４と、ＨＤＤ８６を備える。
前記ＣＰＵ８４は、読込手段８８と、グラフ表示指定手段９０と、グラフ表示変更手段９２を備える。
前記ＨＤＤ８６は、分析データファイル記憶手段９４を備える。
【００７３】
ここで、前記読込手段８８は、入力デバイス８２により所望の分析データファイル２４が指定され、そのダウンロードの開始の指示がなされると、該分析データファイル２４を一旦、分析データファイル記憶手段９４に保存し、ディスプレイ２２に分析データファイル２４の分析データを基にスペクトルをグラフ表示させる。
【００７４】
また前記表示指定手段９０は、前記ディスプレイ２２に表示されたグラフ表示が所望のグラフ表示でないと、該グラフ表示に対し、入力デバイス８２を用いて所望のグラフ表示、例えば軸の倍率の変更等を指定する。
前記表示変更手段９２は、前記ディスプレイ２２でのグラフ表示を、前記分析データの本質は変えずに前記表示指定手段９０により指定された軸の倍率等でのグラフ表示に変更する。
なお、本実施形態において、分析データファイル２４は、分析データライタでのファイル作成者、分析データリーダ１４でのファイル使用者等のコメントが記載される。このコメントの内容は、変更してもデータの本質を変えてしまうものではないので、分析データリーダ１４で書込み、書換えが行えるように構成されている。
【００７５】
本実施形態にかかる分析データリーダ１４は、概略以上のように構成され、以下にその作用について説明する。
まず従来、スペクトル等のグラフを紙に印刷したものをＦＡＸや郵送等でやりとりする方法が一般的であったが、時間がかかり、面倒であった。
そこで、本実施形態は、分析データの入手を容易にするため、入出力インターフェース１８、インターネット、ＬＡＮ上と接続された信号線２０等を介して、本実施形態にかかる分析データライタにより作成された分析データファイル２４を容易に入手している。
【００７６】
ここで、分析機器の分野では、前述のようにして頒布されたものを入手すると、ディスプレイ上でグラフの大きさを調整する必要があるが、単なるグラフ全体の倍率変更であれば比較的簡単であるが、例えば横軸だけ、縦軸だけ等の各軸単位での倍率変更を行うと、グラフの各軸上での元の位置関係がわからなくなり、元の位置関係が保たれない場合がある。これは一般的なグラフィックスでは問題のないことであっても、グラフの各軸上での元の位置関係が非常に重要な意味を持つスペクトル等のグラフを扱う分析機器の分野では、分析データそのものの本質を変えてしまうため、その使い勝手は改善の余地が残されていた。
【００７７】
そこで、本実施形態では、分析機器の分野での使い勝手を向上させるため、分析機器で得られたスペクトル等の表示を、分析手段で得られた分析データの本質は変えずに、該グラフ表示の変更が行えるように作成されたデータファイルを読込むことができる。例えば、分析データリーダ１４は、ファイル形式、ファイルの出所情報、例えば出所情報等のＩＤ情報等の、特定の分析データライタ１２を識別することのできる情報により、特定の分析データファイルのみを読込めるようにすることができる。
【００７８】
このために本実施形態にかかる分析データリーダ１４は、本実施形態にかかる分析データライタにより作成された分析データファイル２４を読込むと、読込手段８８が、該分析データファイル２４のデータ定義部の各データ点の数値と表示定義部の表示定義情報を関連付けて、スペクトル等のグラフをディスプレイ２２にグラフ表示させる。しかも、このような各データ点の数値と表示定義情報との関連付けを行うことにより、グラフ表示指定手段９０及びグラフ表示変更手段９２による、ディスプレイ２２上のグラフ表示を、該分析データの本質は変えずに軸の倍率の変更を行う等の、所望のグラフ表示に変更することができる。
【００７９】
本実施形態にかかる分析データリーダ１４によるグラフ表示の変更例を図６に示す。なお、同図では、軸の倍率を変更している。
すなわち、同図（Ａ）では、ディスプレイ２２上に横軸に波数、縦軸に透過率のスペクトルが表示されている。ここで、ユーザは倍率の変更を行う軸の終点に、例えばマウスのカーソル９８の位置を合わせた状態で、倍率の変更を行う方向、例えば横軸の拡大では、図中右方に所望の大きさとなるまでドラッグする。また横軸の縮小では、横軸の終点にカーソル９８の位置を合わせた状態で図中左方に所望の大きさとなるまでドラッグする。すると、カーソルの動きに合わせて横軸の長さが変わるが、各データ点の各軸上での位置関係を保つように同図（Ｂ）に示すようにグラフ表示が変る。このように本実施形態ではスペクトルを構成する各データ点の各軸上での数値がわかるので、スペクトルの本質を変えずに軸の倍率を所望の倍率に変えることができる。また同様の軸の倍率の変更をその他の軸についても行うことができる。
【００８０】
また前記軸の倍率の変更に関し、前記倍率の変更を行う軸にマウスのカーソルを合わせることの代わりに、キーボードからの軸の指定を行い、また前記ドラッグの代わりにキーボードからの倍率の数値の入力等によっても、同様の軸の倍率の変更等をスペクトルの本質を変えずに行うことができる。
ここで、本実施形態にかかる分析データリーダ１４により分析データファイル２４の分析データの本質にかかわるデータ定義部、表示定義部の内容は勿論、出所情報部、データ付随情報部等の内容を誤って上書き等の変更してしまうと、元の情報との区別が付かないので、分析機器の分野では、その誤操作対策が必要である。
【００８１】
そこで、本実施形態にかかる分析データリーダ１４では、分析データファイル２４のコメント部の内容は入力デバイス８２からの入力により書換え可能にしているが、出所情報部、データ定義部、表示定義部、データ付随情報部の内容には、例えばＩＤ等によるアクセス制限が設けられているので、基本的にはその内容を書換え不可となる。
また分析データファイル２４の、アクセス制限のある情報を強制的に書換えた際は、その情報のある位置にフラグ等を自動的に付加し、変更があったことを知らせる。
【００８２】
このため、本実施形態にかかる分析データリーダ１４は、分析データファイル２４の分析データの本質にかかわるデータ定義部、表示定義部の内容は勿論、出所情報部、データ付随情報部等の内容を誤って上書き等の変更をしてしまうのを防ぐと共に、万が一、変更してしまっても、フラグ等の何等かの痕跡を残すので、分析データファイル２４の内容が元のものかどうかを容易に判断することができる。
【００８３】
以上のように本実施形態にかかる分析データリーダ１４によれば、本実施形態にかかる分析データライタで作成された分析データファイル２４を読込み、ディスプレイ２２に該分析データファイルの分析データを元にスペクトルをグラフ表示させ、かつ該スペクトル表示を該分析データの本質は変えずに軸の倍率等を変更することができる。
この結果、本発明にかかる分析データリーダ１４によれば、分析データファイル２４のスペクトル等のグラフの使い勝手が向上する。
【００８４】
なお、前記構成では、二次元の分析データを用いて説明したが、二次元以上の分析データに適用することができる。
また、前記構成では、グラフ表示の変更例として、軸の始点と終点の数値は変えずに軸の倍率の変更を行った例について説明したが、データの本質を変えるものでなければ、任意のグラフ表示の変更が行える。例えば分析データの軸の始点と終点の範囲内であれば、軸の特定範囲のデータをグラフ表示させることもできる。このとき、軸の範囲を特定後、軸の倍率の変更も勿論行える。またスペクトル等のグラフにピーク位置等のデータ処理結果等のグラフ以外の情報を重ねて表示することもできる。またグラフの線種、色、太さ等を変えることもできる。またグラフ表示を透過状態にし、そのほかのグラフ表示に重ねて表示することもできる。
【００８５】
【発明の効果】
以上説明したように本発明にかかる分析データライタによれば、分析データファイルの作成の指示が与えられると、出所情報記憶手段の出所情報、データ記憶手段の分析手段で得られた分析データ、表示定義情報記憶手段の表示定義情報及びデータ付随情報記憶手段のデータ付随情報を、それぞれ該分析データファイルの所定位置に、特定の分析データリーダで読込み可能で及び書換え不可となるように書込み、該分析データファイルを作成するファイル作成手段と、を備えることとした。
この結果、本発明にかかる分析データライタによれば、分析手段で得られた分析データを特定の分析データリーダによりグラフ表示させ、かつ該分析データリーダにより分析データの本質は変えずに特定のグラフ表示が変更可能な分析データファイルを作成することができるので、それを容易に頒布することができる。
また本発明にかかる分析データファイルによれば、そのファイルが作成された出所を示す出所情報が特定の分析データリーダで読込み可能で及び書換え不可で記憶された出所情報部と、分析手段で得られた分析データが前記分析データリーダで読込み可能で及び書換え不可で記憶されたデータ定義部と、前記分析データをグラフ表示し、かつ該グラフ表示を該分析データの本質は変えずに変更することのできる表示定義情報が前記分析データリーダで読込み可能で及び書換え不可で記憶された表示定義部と、前記分析データを得た時の分析手段の装置構成及び測定条件を含むデータ付随情報が前記分析データリーダで読込み可能で及び書換え不可で記憶されたデータ付随情報部と、を備えることとした。
この結果、本発明にかかる分析データファイルによれば、電子化されているので、容易に頒布されると共に、特定の分析データリーダで読込まれることにより、分析手段で得られた分析データをグラフ表示させ、かつ該分析データの本質は変えずに特定のグラフ表示を変更することができるので、分析機器の分野での使い勝手が向上する。
また本発明にかかる分析データリーダによれば、特定の分析データライタで作成された分析データファイルを読込み、外部出力手段に分析データをグラフ表示させる読込手段と、前記外部出力手段でのグラフ表示を前記分析データの本質は変えずにグラフ表示指定手段により指定されたグラフ表示に変更する表示変更手段と、を備えることとした。
この結果、本発明にかかる分析データリーダによれば、特定の分析データライタで作成された分析データファイルを読込み、外部出力手段にその分析データをグラフ表示させ、かつ該グラフ表示を該分析データの本質は変えずに変更することができるので、分析データファイルの使い勝手が向上する。
また本発明にかかる分析データファイル頒布方法によれば、前記分析データライタにより前記分析データファイルを作成する分析データファイル作成工程と、前記分析データファイル作成工程で作成された分析データファイルを、前記分析データリーダにより読込み外部出力手段にグラフ表示させる読込工程と、前記グラフ表示が所望のグラフ表示でないと、前記グラフ表示を、前記分析データの本質は変えずに前記グラフ表示指定工程で指定されたグラフ表示に変更するグラフ表示変更工程と、を備えることとした。
この結果、本発明にかかる分析データファイル頒布方法によれば、分析機器の分野での所望のグラフ表示が行える分析データファイルを容易に頒布することができる。
【図面の簡単な説明】
【図１】本発明の一実施形態にかかる分析データファイル頒布方法を行うためのハードウェア要素の概略構成の説明図である。
【図２】本発明の一実施形態にかかる分析データファイル頒布方法を示すフローチャートである。
【図３】本発明の一実施形態にかかる分析データライタの概略構成の説明図である。
【図４】本発明の一実施形態にかかる分析データライタで作成された分析データファイルのファイル構造の説明図である。
【図５】本発明の一実施形態にかかる分析データリーダの説明図である。
【図６】本発明の一実施形態にかかる分析データリーダによるグラフ表示の変更例である。
【符号の説明】
１０  分析手段
１２  分析データライタ
１４  分析データリーダ
２４  分析データファイル
９６  スペクトル（グラフ）
【図１】
0004990452.tif 000002
【図２】
0004990452.tif 000003
【図３】
0004990452.tif 000004
【図４】
0004990452.tif 000005
【図５】
0004990452.tif 000006
【図６】
0004990452.tif 000007